(57)【要約】【課題】  略円錐状の頭部または略円錐状の胴部を有する工具で、サイズの異なる各種ものを収納しておくことができ、携行中に揺さ振ったりしても、収納部から抜け出してしまうことのない工具入れを提供する。【解決手段】  帯状体１の両側部１ａ、１ａに、略円錐状の頭部または略円錐状の胴部を有する工具Ｔのサイズに応じた口径の出入口２を有した略円錐凹状の収納部３を、前記帯状体１に複数個形成したものとして、この帯状体１を収納本体４内に設けたものとしている。【選択図面】    図７
2006110643.tif 000002
【特許請求の範囲】
【請求項１】
帯状体（１）の両側部（１ａ、１ａ）に、略円錐状の頭部または略円錐状の胴部を有する工具（Ｔ）のサイズに応じた口径の出入口（２）を有した略円錐凹状の収納部（３）を、前記帯状体（１）に複数個形成したものとして、この帯状体（１）を収納本体（４）内に設けたことを特徴とする工具入れ。
【請求項２】
前記帯状体（１）を、柔軟性を有するものとしたことを特徴とする請求項１記載の工具入れ。
【請求項３】
前記収納部（３）を、略円錐状の頭部または略円錐状の胴部を有する工具（Ｔ）を収納していない状態においては、平坦状となるようにし、前記工具（Ｔ）を収納した状態においては、その工具（Ｔ）の頭部または胴部に沿う略円錐凹状を形成するようにしたことを特徴とする請求項１または２記載の工具入れ。
【請求項４】
前記収納本体（４）の両側部に、帯状体（１）を適度に弛ませてその両端を止着し、帯状体（１）を収納本体（４）の内側に設けたものとしたことを特徴とする請求項１〜３の何れかに記載の工具入れ。
【請求項５】
前記収納本体（４）に、前記帯状体（１）の両側部（１ａ、１ａ）にそれぞれ沿うようして押さえバンド（５、５）を配置したものとしたことを特徴とする請求項１〜４の何れかに記載の工具入れ。
【発明の詳細な説明】
【技術分野】
【０００１】
この発明は、充電ドライバーや電気ドリル等に着脱自在に取り付けて使用されるステップドリルなどの略円錐状の頭部または略円錐状の胴部を有する工具を収納するのに適した工具入れに関するものである。
【背景技術】
【０００２】
前記した略円錐状の頭部または略円錐状の胴部を有する工具は、充電ドライバーや電気ドリル等に着脱自在に取り付けて使用されるが、切削、掘削の度合いに応じてサイズの異なる各種ものを用意しておく必要がある。
【０００３】
従来、略円錐状の頭部または略円錐状の胴部を有する工具を収納しておくための専用の工具入れは存在しなかったが、このような工具を収納しておくことのできる工具入れとしては、例えば図９に示したようなものが存在する。この工具入れは、長手形状をなすベース部材１１の一端１１ｃの表面１１ｄ側に、牛皮などの天然皮革よりなる工具収納ポケット部１３がリベット等の締結手段１２によって前記ベース部材１１に固定され、この工具収納ポケット部１３にはペンチ等の工具を収納するためのポケット１３ａが形成されている（特許文献１）。
【０００４】
このように構成された従来の工具入れは、工具収納ポケット部１３に採用した、牛皮などの天然皮革によって、多少大きい工具であっても寸法の融通がきき、また、使用していくうちに次第に工具に馴染んで使いやすくなるといった効果を有するとしている。
【特許文献１】特開平１１−１０４９７８号公報（第２頁、図１）
【発明の開示】
【発明が解決しようとする課題】
【０００５】
しかしながら、上記従来の工具入れでは、工具収納ポケット部１３に工具を収納する場合、多少大きい工具であれば寸法の融通がきくとしても、サイズの異なる各種の工具を収納しておくには、相当の無理があるという問題点を有していた。
【０００６】
さらに、上記従来の工具入れでは、略円錐状の頭部または略円錐状の胴部を有する工具を、前記工具収納ポケット部１３に丁度収納することができたとしても、その略円錐状の頭部または略円錐状の胴部を工具収納ポケット部１３に差し込んでいるだけであるので、携行中に揺さ振ったりすると、工具収納ポケット部１３から抜け出してしまうという問題点を有していた。
【０００７】
そこで、この発明は、上記従来の問題点を解決することをその課題としており、略円錐状の頭部または略円錐状の胴部を有する工具で、サイズの異なる各種ものを収納しておくことができ、携行中に揺さ振ったりしても、収納部から抜け出してしまうことのない工具入れを提供することを目的としてなされたものである。
【課題を解決するための手段】
【０００８】
そのため、この発明の工具入れは、帯状体１の両側部１ａ、１ａに、略円錐状の頭部または略円錐状の胴部を有する工具Ｔのサイズに応じた口径の出入口２を有した略円錐凹状の収納部３を、前記帯状体１に複数個形成したものとして、この帯状体１を収納本体４内に設けたものとしている。
【０００９】
そして、この発明の工具入れは、帯状体１を、柔軟性を有するものとしている。
【００１０】
さらに、この発明の工具入れは、収納部３を、略円錐状の頭部または略円錐状の胴部を有する工具Ｔを収納していない状態においては、平坦状となるようにし、前記工具Ｔを収納した状態においては、その工具Ｔの頭部または胴部に沿う略円錐凹状を形成するようにしている。
【００１１】
また、この発明の工具入れは、収納本体４の両側部に、帯状体１を適度に弛ませてその両端を止着し、帯状体１を収納本体４の内側に設けたものとしている。
【００１２】
さらにまた、この発明の工具入れは、収納本体４に、前記帯状体１の両側部１ａ、１ａにそれぞれ沿うようして押さえバンド５、５を配置したものとしている。
【発明の効果】
【００１３】
この発明の工具入れは、以上に述べたように構成されているので、略円錐状の頭部または略円錐状の胴部を有する工具で、サイズの異なる各種ものを収納しておくことができ、携行中に揺さ振ったりしても、収納部から抜け出してしまうことのないものとなった。
【発明を実施するための最良の形態】
【００１４】
以下、この発明の工具入れを実施するための最良の形態を、図面に基づいて詳細に説明する。
【００１５】
この発明の工具入れは、図１〜図４に示したように、帯状体１の両側部１ａ、１ａに、略円錐状の頭部または略円錐状の胴部を有する工具Ｔのサイズに応じた口径の出入口２を有した略円錐凹状の収納部３を、前記帯状体１に複数個形成したものとして、この帯状体１を収納本体４内に設けたものとしている。
【００１６】
帯状体１は、皮革、繊維、軟質合成樹脂などの柔軟性を有するものとしており、例えば図示したように、化学繊維や天然繊維などから構成した柔軟性を有する上側帯状体１ｂと下側帯状体１ｃを重ね合わせて、適宜間隔をあけ、交互に傾けた直線状の縫目で、その一方の側部１ａから他方の側部１ａまでを縫着することにより、口径の異なる出入口２をその両側部１ａに有した略円錐凹状の収納部３を、互い違いに複数個形成したものとしている。また、帯状体１は、硬質または軟質の合成樹脂による一体成形により、図示していなが、口径の異なる出入口２を有した略円錐凹状の収納部３を、互い違いに複数個形成したものとしてもよい。
【００１７】
出入口２は、図３に示したように、収納部３へ収納する略円錐状の頭部または略円錐状の胴部を有する工具Ｔの最大径部と略同一か、少し小さい口径としたものとしている。図５に示した工具Ｔは、それぞれサイズの異なる略円錐状の頭部を有する工具Ｔ1 、Ｔ2 、Ｔ3 の例であり、それぞれが略円錐状の頭部ｈの下方に柄部ｓを設けたものとしているが、略円錐状の胴部を有するものとした場合には、胴部の下方に柄部を設け、胴部の上方に支持部などを設けたものとしている。
【００１８】
収納部３は、帯状体１を化学繊維や天然繊維から構成したものでは、略円錐状の頭部または略円錐状の胴部を有する工具Ｔを収納していない状態においては、図４に示したように、平坦状となるようにしており、前記工具Ｔを収納した状態においては、その工具Ｔの頭部または胴部に沿う略円錐凹状を形成するようにしている。このようにするには、前記したように柔軟性を有する上側帯状体１ｂと下側帯状体１ｃを重ね合わせて、適宜間隔をあけ、交互に傾けた直線状の縫目で、その一方の側部１ａから他方の側部１ａまでを縫着すれば、収納部３に最初から略円錐凹状を象っておかなくても、その収納部３を簡単に形成することができる。また、収納部３は、帯状体１を合成樹脂成形したものでは、収納部３に最初から略円錐凹状が象られ、略円錐状の頭部または略円錐状の胴部を有する工具Ｔの未収納状態においても、その工具Ｔの頭部または胴部に沿う略円錐凹状が形成されている。さらに、収納部３の略円錐凹状の傾斜面は、収納する工具Ｔの略円錐状の頭部または胴部の傾斜度に合わせたものとすることができる。なお、この発明でいう略円錐凹状とは、収納部３の底部を開口させることにより形成されるような略円錐台凹状も含まれるものとする。
【００１９】
収納本体４は、長手形状をなす略四角形状の布地や皮革地などから両外端部４ａ、４ａおよび中間部４ｂから構成されており、図６に示したように、中間部４ｂ側に両外端部４ａ、４ａを折り返して三つ折りにできるようにしている。そして、この収納本体４の中間部４ａの両側部に、帯状体１を適度に弛ませて、その両端を縫着するなどして止着し、この帯状体１を収納本体４の内側に設けたものとしている。帯状体１を適度に弛ませるのは、収納部３に略円錐凹状が象られときに、その略円錐凹状が象られる空間を確保するためである。さらに、収納本体４には、前記帯状体１の両側部１ａ、１ａにそれぞれ沿うようして押さえバンド５、５を配置したものとしている。この押さえバンド５は、ゴムバンドなどの弾性を有するものとしており、その両端は収納本体４の両側部に縫着するなどして止着したものとしている。また、収納本体４には、一方の外端部４ａの外面側に面接着ファスナー６のフック側接着部６ａを取り付け、他方の外端部４ａの内面側に面接着ファスナー６のループ側接着部６ｂを取り付け、両接着部６ａ、６ｂを接着させることにより、収納本体４を三つ折りにした場合、この状態を保持しておけるようにしている。なお、収納本体４には、前記面接着ファスナー６に代えて、スナップボタンなどを取り付けることにより、収納本体４を三つ折りにした状態を保持しておけるようにしてもよい。さらに、収納本体４には、その外面側に長手方向に沿って止めバンド７を配設したものとしており、この止めバンド７の両端に止め具８を取り付け、収納本体４を三つ折りにした状態でこの止め具８で止めバンド７を止めることにより、前記収納本体４を三つ折りにした状態をより頑強に保持しておけるようにしている。また、収納本体４には、外方に突出するようにして、その内面側に提げ手９が取り付けられている。
【００２０】
この発明の工具入れは、以上に述べたように構成されており、略円錐状の頭部ｈを有する工具Ｔを収納する場合には、図７に示したように、収納部３の出入口２からその工具Ｔの頭部ｈの先端側を差し込み、略円錐状の頭部ｈを収納部３の略円錐凹状に沿わせるようにすれば、その収納部３に工具Ｔの頭部ｈが丁度納まることになる。そして、図８に示したように、収納部３から露出している工具Ｔの柄部ｓに押さえバンド５を被せて、この柄部ｓを押さえ付けておけば、工具入れを携行中に揺さ振ったりしても、工具Ｔが収納部３から抜け出してしまうことはない。また、収納部３の底部を開口させたものとしている場合には、この開口から工具Ｔの頭部ｈの先端が露出するが、この露出した頭部ｈの先端にも押さえバンド５を被せておけば、その頭部ｈの先端で手などを傷付けたりすることもない。なお、工具入れの携行中には、前記したように面接着ファスナー６や止めバンド７によって、収納本体４を三つ折りにした状態を保持しておけるようにしているので、収納部３から露出している工具Ｔの柄部ｓに押さえバンド５を被せない場合にも、その工具Ｔの頭部ｈが収納部３から食み出していても、収納部３から抜け出して、工具入れから落下してしまうようなことはない。
【００２１】
さらに、この発明の工具入れに略円錐状の胴部を有する工具Ｔを収納する場合も、前記したのと同様に行うが、この胴部を有する工具Ｔには、胴部の下方に柄部を設け、胴部の上方に支持部を設けているので、収納部３は底部を開口させたものとするのが好ましく、収納部３の出入口２からその工具Ｔの支持部側を差し込み、この工具Ｔの支持部を収納部３の底部を開口から抜き出させることにより、略円錐状の頭部を収納部３の略円錐凹状に沿わせるようにすれば、その収納部３に工具Ｔの胴部が丁度納まることになる。そして、収納部３から露出している工具Ｔの柄部および支持部にそれぞれ押さえバンド５を被せて、柄部および支持部を押さえ付けておけば、工具入れを携行中に揺さ振ったりしても、工具Ｔが収納部３から抜け出してしまうことはない。
【図面の簡単な説明】
【００２２】
【図１】この発明の工具入れの一実施形態を示しており、工具入れを展開して、内側から見た状態の斜視図である。
【図２】図１に示すこの発明の工具入れを外側から見た状態の斜視図である。
【図３】この発明の工具入れの収納部の形状を示す正面図である。
【図４】この発明の工具入れの収納部に工具を収納していない状態の部分拡大斜視図である。
【図５】この発明の工具入れの収納部に収納するサイズの異なる略円錐状の頭部を有する工具の斜視図である。
【図６】この発明の工具入れの収納部に工具を収納し、三つ折りにした状態の斜視図である。
【図７】この発明の工具入れの収納部に工具を収納した状態の斜視図である。
【図８】この発明の工具入れの収納部に工具を収納し、その工具の柄部や頭部先端に押さえバンドを被せた状態の斜視図である。
【図９】従来の工具入れの一例を示す斜視図である。
【符号の説明】
【００２３】
１  帯状体
１ａ  側部
２  出入口
３  収納部
４  収納本体
５  押さえバンド
Ｔ  工具
【図１】
2006110643.tif 000003
【図２】
2006110643.tif 000004
【図３】
2006110643.tif 000005
【図４】
2006110643.tif 000006
【図５】
2006110643.tif 000007
【図６】
2006110643.tif 000008
【図７】
2006110643.tif 000009
【図８】
2006110643.tif 000010
【図９】
2006110643.tif 000011